(57)【要約】【課題】車載器や路側器等の車両を識別するための機器を用いることなく、迷惑駐車を監視することが可能な迷惑駐車監視装置、迷惑駐車監視システム、迷惑駐車監視プログラムおよび迷惑駐車監視方法の提供。【解決手段】監視対象の駐車場を撮影するカメラ１により撮影された駐車場の特定の位置に所定期間停車している車両を自動認識し、この認識した車両を正当な駐車車両として記憶手段２０に登録する登録手段２１と、カメラ１により撮影された駐車場の特定の位置に停車している車両を自動認識し、この認識した車両が記憶手段２０に記憶された正当な駐車車両か否かを判定する判定手段２２と、判定手段２２による判定結果を通知する通知手段２３とを含む。【選択図】図２
2020170374.tif 000002
【特許請求の範囲】
【請求項１】
監視対象の駐車場を撮影するカメラにより撮影された駐車場の特定の位置に所定期間停車している車両を自動認識し、この認識した車両を正当な駐車車両として記憶手段に登録する登録手段と、
前記カメラにより撮影された駐車場の特定の位置に停車している車両を自動認識し、この認識した車両が前記記憶手段に記憶された正当な駐車車両か否かを判定する判定手段と、
前記判定手段による判定結果を通知する通知手段と
を含む迷惑駐車監視装置。
【請求項２】
監視対象の駐車場を撮影するカメラと、
請求項１記載の迷惑駐車監視装置と
を含む迷惑駐車監視システム。
【請求項３】
コンピュータを、
監視対象の駐車場を撮影するカメラにより撮影された駐車場の特定の位置に所定期間停車している車両を自動認識し、この認識した車両を正当な駐車車両として記憶手段に登録する登録手段、
前記カメラにより撮影された駐車場の特定の位置に停車している車両を自動認識し、この認識した車両が前記記憶手段に記憶された正当な駐車車両か否かを判定する判定手段、
前記判定手段による判定結果を通知する通知手段
として機能させるための迷惑駐車監視プログラム。
【請求項４】
監視対象の駐車場を撮影するカメラにより撮影された駐車場の特定の位置に所定期間停車している車両を自動認識し、この認識した車両を正当な駐車車両として記憶手段に登録すること、
前記カメラにより撮影された駐車場の特定の位置に停車している車両を自動認識し、この認識した車両が前記記憶手段に記憶された正当な駐車車両か否かを判定すること、
この判定結果を通知すること
を含む迷惑駐車監視方法。
【発明の詳細な説明】
【技術分野】
【０００１】
本発明は、個人駐車場や月極駐車場などの一定期間に渡って同一車両が駐車される駐車場における迷惑駐車を監視する迷惑駐車監視装置、迷惑駐車監視システム、迷惑駐車監視プログラムおよび迷惑駐車監視方法に関する。
【背景技術】
【０００２】
従来、迷惑駐車を防止する装置として、例えば特許文献１に記載の迷惑駐車防止装置が知られている。この迷惑駐車防止装置は、車両に設置される車載器と、駐車場に設置される路側器とを備え、車載器は、車両を識別するための車両ＩＤデータを登録する車両ＩＤデータ登録手段と、車両ＩＤデータ登録手段により登録された車両ＩＤデータを送信する送信手段とを有し、路側器は、駐車場を識別するための駐車場ＩＤデータを登録する駐車場ＩＤデータ登録手段と、車載器の通信手段により送信された車両ＩＤデータを受信する通信手段と、この通信手段により受信された車両ＩＤデータと、駐車場ＩＤデータ登録手段により登録された駐車場ＩＤデータとの照合を行い、迷惑駐車であるか否かの判定を行う駐車判定手段と、駐車判定手段により得られた判定結果を通知する通知手段とを有している。
【先行技術文献】
【特許文献】
【０００３】
【特許文献１】特開２００４−１７８４８９号公報
【発明の概要】
【発明が解決しようとする課題】
【０００４】
上記従来の迷惑駐車防止装置では、車載器の車両ＩＤデータと路側器の駐車場ＩＤデータとの照合により迷惑駐車であるか否かの判定を行うため、予め、車両に車載器を設置したうえで車両ＩＤデータを登録するとともに、駐車場に路側器を設置したうえで駐車場ＩＤデータを登録し、さらに車両ＩＤデータと駐車場ＩＤデータとの紐付けを行う必要がある。そのため、車載器および路側器の設置コストや、車両ＩＤデータおよび駐車場ＩＤデータの管理コストが嵩み、手軽に導入することが難しい。
【０００５】
そこで、本発明においては、車載器や路側器等の車両を識別するための機器を用いることなく、迷惑駐車を監視することが可能な迷惑駐車監視装置、迷惑駐車監視システム、迷惑駐車監視プログラムおよび迷惑駐車監視方法を提供することを目的とする。
【課題を解決するための手段】
【０００６】
本発明の迷惑駐車監視装置は、監視対象の駐車場を撮影するカメラにより撮影された駐車場の特定の位置に所定期間停車している車両を自動認識し、この認識した車両を正当な駐車車両として記憶手段に登録する登録手段と、カメラにより撮影された駐車場の特定の位置に停車している車両を自動認識し、この認識した車両が記憶手段に記憶された正当な駐車車両か否かを判定する判定手段と、判定手段による判定結果を通知する通知手段とを含むものである。
【０００７】
また、本発明の迷惑駐車監視方法は、監視対象の駐車場を撮影するカメラにより撮影された駐車場の特定の位置に所定期間停車している車両を自動認識し、この認識した車両を正当な駐車車両として記憶手段に登録すること、カメラにより撮影された駐車場の特定の位置に停車している車両を自動認識し、この認識した車両が記憶手段に記憶された正当な駐車車両か否かを判定すること、この判定結果を通知することを含む。
【０００８】
これらの発明によれば、監視対象の駐車場を撮影するカメラにより撮影された駐車場の特定の位置に所定期間停車している車両が自動認識されて正当な駐車車両として登録され、この登録された車両以外の車両がカメラにより撮影された駐車場の特定の位置に停車している場合には正当でない駐車車両、すなわち迷惑駐車であるとして判定され、通知される。
【０００９】
また、本発明の迷惑駐車監視プログラムは、コンピュータを、監視対象の駐車場を撮影するカメラにより撮影された駐車場の特定の位置に所定期間停車している車両を自動認識し、この認識した車両を正当な駐車車両として記憶手段に登録する登録手段、カメラにより撮影された駐車場の特定の位置に停車している車両を自動認識し、この認識した車両が記憶手段に記憶された正当な駐車車両か否かを判定する判定手段、判定手段による判定結果を通知する通知手段として機能させるためのものである。本発明の迷惑駐車監視プログラムを実行したコンピュータによれば、上記本発明の迷惑駐車システムと同様の作用、効果を奏することができる。本発明の迷惑駐車監視プログラムは、例えばコンピュータにより読み取り可能な記録媒体に記録されて、コンピュータにより読み取られ、実行される。
【発明の効果】
【００１０】
本発明によれば、監視対象の駐車場を撮影するカメラにより撮影された駐車場の特定の位置に所定期間停車している車両が自動認識されて正当な駐車車両として登録され、この登録された車両以外の車両は迷惑駐車であるとして判定され、通知されるので、予め正当な駐車車両を登録することは不要であり、車載器や路側器等の車両を識別するための機器を用いることなく、迷惑駐車を監視することが可能となる。
【図面の簡単な説明】
【００１１】
【図１】本発明の実施の形態における迷惑駐車監視システムの概略構成図である。
【図２】図１の迷惑駐車監視システムのブロック図である。
【図３】図１の迷惑駐車監視システムの動作例を示す説明図である。
【発明を実施するための形態】
【００１２】
図１は本発明の実施の形態における迷惑駐車監視システムの概略構成図、図２は図１の迷惑駐車監視システムのブロック図である。
【００１３】
図１において、本発明の実施の形態における迷惑駐車監視システムは、主に、監視対象の駐車場を撮影するカメラ１と、カメラ１により撮影された画像に基づいて迷惑駐車監視処理を行う迷惑駐車監視装置２と、駐車場の管理者や利用者等のユーザが使用するパーソナルコンピュータやスマートフォンなどの情報端末３とから構成される。カメラ１と迷惑駐車監視装置２と、および、迷惑駐車監視装置２と情報端末３とは、インターネット等の情報通信ネットワークを通じて接続されている。
【００１４】
カメラ１は、例えば、監視対象の駐車場において、それぞれの駐車枠（駐車スペース）１０などの特定の位置に停車している車両１１を撮影可能なように、監視対象の駐車場に対してそれぞれ１台以上設置される。カメラ１により所定間隔で撮影された画像データは、迷惑駐車監視装置２へ送信される。
【００１５】
迷惑駐車監視装置２は、図２に示すように、カメラ１により撮影された画像データに基づいて駐車場の特定の位置に普段止まっている車両を登録する登録手段２１と、カメラ１により撮影された画像データに基づいて駐車場の特定の位置に止まっている車両が迷惑車両であるか否かを判定する判定手段２２と、判定手段２２による判定結果を通知する通知手段２３とを有する。
【００１６】
登録手段２１は、カメラ１により撮影された駐車場の特定の位置に数日間や数時間などの所定期間停車している車両を色や形などにより自動認識し、この認識した車両をその駐車場の特定の位置に普段止まっている正当な駐車車両であるとして記憶手段２０に登録するものである。車両の自動認識は、例えばＡＩ（人工知能）技術により行うことが可能である。車両を自動認識する駐車場の特定の位置は、カメラ１の撮影範囲内において予め指定するが、自動認識させる構成とすることも可能である。
【００１７】
判定手段２２は、カメラ１により撮影された駐車場の特定の位置に停車している車両を色や形などにより自動認識し、記憶手段２０に記憶されている普段止まっている正当な駐車車両と比較することにより、この認識した車両が正当な駐車車両か否かを判定するものである。このときの車両の自動認識についても、登録手段２１と同様に例えばＡＩ（人工知能）技術により行うことが可能である。なお、前述の登録手段２１により、どの程度の期間停車している車両を正当な駐車車両とするかは、判定手段２２による判定精度を考慮して最適となるように調整する。
【００１８】
通知手段２３は、判定手段２２による判定結果を、予め通知先として登録された駐車場の管理者や利用者等のユーザの情報端末３へ通知するものである。通知は、情報端末３への電子メールの送信や、表示や音によるプッシュ通知などにより行う。
【００１９】
上記構成の迷惑駐車監視装置２は、例えばコンピュータとしてのクラウドサーバ上に構築したり、物理サーバ上に構築したりすることが可能である。迷惑駐車監視装置２は、上記各手段２０〜２３としてコンピュータを機能させるための迷惑駐車管理プログラムを、クラウドサーバや物理サーバ等のコンピュータ上で実行することにより実現される。迷惑駐車管理プログラムは、クラウドサーバや物理サーバ等のコンピュータの記録媒体に記録されている。
【００２０】
次に、上記構成の迷惑駐車監視システムの動作について、図３を参照して説明する。図３は図１の迷惑駐車監視システムの動作例を示す説明図である。
【００２１】
上記構成の迷惑駐車監視システムでは、登録手段２１が、監視対象の駐車場を撮影するカメラ１により撮影された駐車場の特定の位置（駐車枠１０）に所定期間停車している車両１１を自動認識し、この認識した車両１１を正当な駐車車両として記憶手段２０に登録する（図３左上画像および同右上画像参照。）。
【００２２】
そして、判定手段２２は、随時カメラ１により撮影された駐車場の特定の位置（駐車枠１０）に停車している車両１１を自動認識し、この認識した車両１１が記憶手段２０に記憶された正当な駐車車両か否かを判定する。図３左下画像の例では、認識された車両１１が記憶手段２０に記憶された正当な駐車車両であり、通知手段２３は情報端末３への通知を行わない。
【００２３】
一方、図３右下画像のように、判定手段２２が、随時カメラ１により撮影された駐車場の特定の位置（駐車枠１０）に停車している車両１２を自動認識した場合、この認識した車両１２は記憶手段２０に記憶された正当な駐車車両ではないため、これを迷惑駐車であると判定して通知手段２３により情報端末３へ通知する。
【００２４】
以上のように、本実施形態における迷惑駐車監視システムによれば、監視対象の駐車場を撮影するカメラ１により撮影された駐車場の特定の位置に所定期間停車している車両１１が自動認識されて正当な駐車車両として登録され、この登録された車両以外の車両は迷惑駐車であるとして判定され、通知されるので、予め正当な駐車車両を登録することは不要であり、車載器や路側器等の車両を識別するための機器を用いることなく、迷惑駐車を監視することが可能となる。
【産業上の利用可能性】
【００２５】
本発明の迷惑駐車監視装置、迷惑駐車監視プログラムおよび迷惑駐車監視方法は、個人駐車場や月極駐車場などの一定期間に渡って同一車両が駐車される駐車場における迷惑駐車を監視する装置、プログラムおよび方法として有用であり、特に、車載器や路側器等の車両を識別するための機器を用いることなく、迷惑駐車を監視することが可能な迷惑駐車監視装置、迷惑駐車監視プログラムおよび迷惑駐車監視方法として好適である。
【符号の説明】
【００２６】
１  カメラ
２  迷惑駐車監視装置
３  情報端末
１０  駐車枠
１１，１２  車両
２０  記憶手段
２１  登録手段
２２  判定手段
２３  通知手段
【図１】
2020170374.tif 000003
【図２】
2020170374.tif 000004
【図３】
2020170374.tif 000005